(57)【要約】【課題】オフセットした位置にある開閉扉用のクローザーを設けることができるキャビネットを提供する。【解決手段】  開閉扉３の上部を支持する上部ガイドレール１０を有し、上部ガイドレール１０よりも手前側にオフセットした位置に開閉扉３が取り付けられるキャビネットであって、開閉扉３は引き戸であり、開閉扉３の閉じ際に、開閉扉３を閉じた位置まで強制的に移動させるクローザー６０を備えている。また、上部ガイドレール１０側には、クローザー６０が取り付けられ、開閉扉３側には、開閉扉３がオフセットした状態で吊り下げられる扉体係合体３０が設けられ、扉体係合体３０には、開閉扉３がオフセットして吊り下げられた状態でクローザー６０に向けて突出し、クローザー６０に捕捉されて閉方向へと強制的に引き込まれる捕捉用突出片３２が設けられている。【選択図】図５
2019037521.tif 000002
【特許請求の範囲】
【請求項１】
開閉扉の上部を支持する上部ガイドレールを有し、前記上部ガイドレールよりも手前側にオフセットした位置に前記開閉扉が取り付けられるキャビネットであって、
前記開閉扉は引き戸であり、前記開閉扉の閉じ際に、前記開閉扉を閉じた位置まで強制的に移動させるクローザーを備えたことを特徴とするキャビネット。
【請求項２】
前記上部ガイドレール側には、前記クローザーが取り付けられ、
前記開閉扉側には、前記開閉扉がオフセットした状態で吊り下げられる扉体係合体が設けられ、
前記扉体係合体には、前記開閉扉がオフセットして吊り下げられた状態で前記クローザーに向けて突出し、前記クローザーに捕捉されて閉方向へと強制的に引き込まれる捕捉用突出片が設けられていることを特徴とする請求項１に記載のキャビネット。
【請求項３】
前記上部ガイドレールには、前記開閉扉の開閉方向に沿って延在し、上下方向に間隔を空けて下レールと上レールとが設けられ、
前記扉体係合体には、前記下レールと接触して転動し、前記上レールとは接触しない走行ローラーと、前記上レールと接触して転動し、前記下レールとは接触しない姿勢制御ローラーと、が設けられていることを特徴とする請求項２に記載のキャビネット。
【請求項４】
前記走行ローラーと前記姿勢制御ローラーは、前後方向に延びる回転軸によって回転自在に取り付けられ、垂直方向において、開閉方向と略直交する方向にずらして配置されていることを特徴とする請求項３に記載のキャビネット。
【請求項５】
前記走行ローラーと前記姿勢制御ローラーは、前後方向に延びる回転軸によって回転自在に取り付けられ、水平方向において、開閉方向と略直交する方向にずらして配置されていることを特徴とする請求項３および請求項４に記載のキャビネット。
【請求項６】
前記姿勢制御ローラーは、前記走行ローラーの回転軸に対して角度を有する回転軸によって回転自在に取り付けられていることを特徴とする請求項３に記載のキャビネット。
【発明の詳細な説明】
【技術分野】
【０００１】
本発明は、オフセットした位置に取り付けられた開閉扉を開閉させて物品を収納するキャビネットに関する。
【背景技術】
【０００２】
従来、スーパーマーケットやコンビニエンスストアなどの食品店舗では、商品を取り出す開口部分を斜めに形成するとともに、下側に位置する棚部の棚面積を広く確保しつつ、その上側に位置する棚部の面積を下側の棚部よりも狭くした食品陳列棚（ショーケース）が使用されている。このような食品陳列棚では、利用者が上側の棚部に邪魔されずに、下側の棚部に置かれた商品を目視できたり、利用者が少し屈むだけでその下側の商品を取り出し易いという点で利便性がある。
【０００３】
また、このような食品陳列棚では、衛生状態を保つために、斜めに形成された開口部分を覆うようにして傾斜扉が設けられることがある。この傾斜扉は、硝子などで平板状に形成されており、開口部分の傾斜に合わせて傾斜した状態で取り付けられる。また、この傾斜扉の上部には、上述した傾斜に合わせて斜めに取り付けられた上部ガイドレールが設けられている。傾斜扉は、本体部に取り付けられた状態で、上部ガイドレールから手前方向に斜め下側に延びており、上部ガイドレールに対して手前側にオフセットした（ずらした）位置にある。傾斜扉は、この上部ガイドレールに沿って傾斜したままの状態で開閉方向（開口を正面に見て左右方向）に移動できるようになっている（例えば、特許文献１参照）。
【０００４】
また、開閉扉が傾斜してはいないが、開閉扉が上部ガイドレールよりも手前側にオフセットした位置に配置された食品陳列棚もある。例えば、特許文献２（特に図３参照）に示すように、開閉扉の断面形状が上下を反転させた略Ｌ字形状に形成されたものがあり、開閉扉を本体部に取り付けた状態で、開閉扉が上部ガイドレールから手前側に略水平に延びるとともに、その手前側端部から略垂直に下がるように形成されている。このような食品陳列棚も、硝子越しに内部に陳列された商品を目視し易くすることができ、ディスプレイ効果が高いものとして知られている。
【０００５】
一方、上部ガイドレールから略垂直に吊り下げる状態で（開閉扉がオフセットしていない状態で）取り付けられる一般的な開閉扉では、扉の閉じ際に扉を完全に閉じた状態まで強制的に移動させるクローザーの技術が知られている。このクローザーによれば、扉が半開きの状態で放置されることがなくなり、衛生、防塵対策として利用されている（例えば、特許文献３参照）。
【先行技術文献】
【特許文献】
【０００６】
【特許文献１】特開２００８−２０６６４０号公報
【特許文献２】特開２００９−１３１４３５号公報
【特許文献３】特開２０１３−２４９６３０号公報
【発明の概要】
【発明が解決しようとする課題】
【０００７】
上述した食品陳列棚では、埃を防ぐという衛生的な面から、扉が半開きの状態のままで放置されることは好ましくない。しかしながら、従来において、このオフセットした位置にある開閉扉をクローザーで強制的に閉じようとする食品陳列棚はなかった。
【０００８】
その理由としては、扉の上部を受けるガイドレールには、オフセットした開閉扉の重心位置に向けて斜め下側方向に荷重が作用することにある。例えば、特許文献１のように傾斜扉に合わせて斜めに取り付けられた上部ガイドレール内にクローザーを設けると、斜め下側方向に作用する荷重を上部ガイドレール内で斜めに受けることになり、クローザーがスムーズに動作しないためである。
【０００９】
また、特許文献２のように開閉扉を手前側にオフセットして設ける場合にも、特許文献１と同様に、上部ガイドレール内にクローザーを設けると、斜め下側方向に作用する荷重を上部ガイドレール内で斜めに受けることになり、同様の課題が生じる。
【００１０】
本発明は、上述した事情を鑑みてなされたものであり、その目的は、オフセットした位置にある開閉扉用のクローザーを設けることができるキャビネットを提供するためのものである。
【課題を解決するための手段】
【００１１】
上述課題を解決するため、本発明は、開閉扉の上部を支持する上部ガイドレールを有し、前記上部ガイドレールよりも手前側にオフセットした位置に前記開閉扉が取り付けられるキャビネットであって、前記開閉扉は引き戸であり、前記開閉扉の閉じ際に、前記開閉扉を閉じた位置まで強制的に移動させるクローザーを備えたことを特徴とする。
【００１２】
また、前記上部ガイドレール側には、前記クローザーが取り付けられ、前記開閉扉側には、前記開閉扉がオフセットした状態で吊り下げられる扉体係合体が設けられ、前記扉体係合体には、前記開閉扉がオフセットして吊り下げられた状態で前記クローザーに向けて突出し、前記クローザーに捕捉されて閉方向へと強制的に引き込まれる捕捉用突出片が設けられていてもよい。
【００１３】
さらに、前記上部ガイドレールには、前記開閉扉の開閉方向に沿って延在し、上下方向に間隔を空けて下レールと上レールとが設けられ、前記扉体係合体には、前記下レールと接触して転動し、前記上レールとは接触しない走行ローラーと、前記上レールと接触して転動し、前記下レールとは接触しない姿勢制御ローラーと、が設けられていてもよい。
【００１４】
さらにまた、前記走行ローラーと前記姿勢制御ローラーは、前後方向に延びる回転軸によって回転自在に取り付けられ、垂直方向において、開閉方向と略直交する方向にずらして配置されていてもよい。
また、前記走行ローラーと前記姿勢制御ローラーは、前後方向に延びる回転軸によって回転自在に取り付けられ、水平方向において、開閉方向と略直交する方向にずらして配置されていてもよい。
【００１５】
また、前記姿勢制御ローラーは、前記走行ローラーの回転軸に対して角度を有する回転軸によって回転自在に取り付けられていてもよい。
【発明の効果】
【００１６】
本発明に係るキャビネットでは、前記開閉扉の閉じ際に、前記開閉扉を閉じた位置まで強制的に移動させるクローザーを備えているので、開閉扉が半開きの状態のままで放置されることがなくなり、半開きの状態と比較して、キャビネット内に埃などが入り込み難くすることができる。特に、食料品売り場などの食品陳列棚に使用されるキャビネットでは、キャビネット内の衛生を保つことができることは有用である。
【図面の簡単な説明】
【００１７】
【図１】本発明の実施の形態に係る傾斜扉を有する食品陳列棚の全体を示す斜視図である。
【図２】図１のＡ−Ａ断面図である。
【図３】図２の状態から傾斜扉を取り外した状態を示す断面図である。
【図４】図１のＺ部の拡大図であって、化粧カバーを取り外した状態を示している。
【図５】上部ガイドレールの部分を拡大して示す断面図である。
【図６】図３のＹ部の拡大図である。
【図７】図２のＸ部の拡大図である。
【図８】扉体係合体にフック取付部材が取り付けられた状態を示す正面図である。
【図９】図８の平面図である。
【図１０】クローザーを単体で斜め下側から見た斜視図である。
【図１１】上側ガイドレール内を走行する制御ローラーを示す拡大図である。
【発明を実施するための最良の形態】
【００１８】
以下、本発明の実施の形態に係る食品陳列棚１（キャビネット）について、図面を用いて詳細に説明する。なお、本実施の形態では、開閉扉３が上部ガイドレール１０よりも手前側にオフセットした位置にある一例として、傾斜した開口部を覆うようにして取り付けられた傾斜扉を有するキャビネットについて説明する。
【００１９】
ここで、本明細書でいう「オフセットした位置に開閉扉が取り付けられるキャビネット」とは、一般的な引き戸のように上部ガイドレールの真下に開閉扉が吊り下げられるものとは異なり、上部ガイドレールよりも手前側で開閉扉が吊り下げられるタイプのキャビネットをいうものとする。より詳細には、開閉扉の重心が上部ガイドレールよりも手前側に位置し、吊り下げられた状態で上部ガイドレールに斜め方向の荷重が作用するタイプのキャビネットである。
【００２０】
図１は、傾斜扉を有する食品陳列棚の全体を示す斜視図である。また、図２は、図１のＡ−Ａ断面図、図３は、図２の状態から傾斜扉を取り外した状態を示す断面図である。さらに、図４は、図１のＺ部の拡大図、図５は、上部ガイドレールの部分を拡大して示す断面図、図６は、図３のＹ部の拡大図、図７は、図２のＸ部の拡大図である。
なお、本実施の形態で使用する前後、左右、上下方向とは、図１で示す方向をいうものとする。また、開閉扉の開閉方向とは、左右方向をいうものとする。
【００２１】
食品陳列棚１は、図１〜図３に示すように、食品陳列棚本体２の前側に傾斜した開口部が設けられており、この開口部を覆うようにして２枚の傾斜扉３（図１の右側に位置する前側扉３ａ、左側に位置する後側扉３ｂ）が取り付けられている。より詳細には、食品陳列棚本体２の前側部分は、下側から上側に向かうに従い、後側へ斜めに傾斜するように形成されており、この傾斜面が開口している。また、傾斜扉３も同様に、食品陳列棚本体２に取り付けられた状態で、傾斜扉３の上側が下側よりも後側に位置するように傾斜した状態になる。
なお、これらの前側扉３ａおよび後側扉３ｂは、いわゆる引き戸タイプの扉であり、左右方向に移動させることでそれぞれ開閉できるようになっている。また、この傾斜扉３はガラスなどの透明な材質で平板状に形成されており、閉じた状態で食品陳列棚本体２の内部が見えるようになっている。
【００２２】
食品陳列棚本体２の内部には、商品を陳列するための棚部４ａ、４ｂが設けられている。この下側の棚部４ａは、上側の棚部４ｂよりも手前側まで延びており、下側の棚部４ａの棚面積を広く確保している。これにより、上側の棚部４ｂに邪魔されることなく、下側の棚部４ａに陳列される商品を出し入れし易くしている。
【００２３】
また、食品陳列棚本体２の天井部５には、図１および図４に示すように、天井部５の前側に、傾斜扉３の上部を支持するための上部ガイドレール１０が取り付けられている。この上部ガイドレール１０は、食品陳列棚１の左右方向の全長に亘って設けられており、この上部ガイドレール１０に沿って傾斜扉３が左右方向に移動する。
【００２４】
上部ガイドレール１０は、図５および図６に示すように、下側が開口する断面略コ字形状のガイドレール本体１１と、このガイドレール本体１１から後側に向けて延びる取付突部１１ａと、このガイドレール本体１１から前側に向けて延びる化粧カバー固定用突部１１ｂとで構成されている。
【００２５】
ガイドレール本体１１には、断面略コ字形状の内側に向けて略水平に延びる下レール１２および上レール１３が設けられている。
下レール１２は、ガイドレール本体１１の後側面部１１ｃおよび前側面部１１ｄのそれぞれの下端からガイドレール本体１１の内側に向けて延びており、これらの先端部同士が離間するように隙間が設けられている。
【００２６】
上レール１３は、下レール１２の上側を覆うようにして、ガイドレール本体１１の後側面部１１ｃおよび前側面部１１ｄのそれぞれの上下方向のほぼ中央の位置から内側に向けて延びており、下レール１２と同様に、これらの先端部同士が離間するように隙間が設けられている。なお、下レール１２および上レール１３のそれぞれの隙間には、詳細は後述する扉体係合体３０が挿入されるようになる。
【００２７】
下レール１２の上面には、下方向に円弧状に凹む態様で走行ローラー転動面１２ａが形成されている。一方、上レール１３の下面には、上方向に円弧状に凹む姿勢制御ローラー転動面１３ａが形成されている。
【００２８】
上レール１３の上側には、この上レール１３の上面によって略矩形状に画成されたクローザー取付部１４が設けられており、このクローザー取付部１４には、詳細は後述するクローザー６０が左右方向の所定の位置に取り付けられる。
【００２９】
取付突部１１ａは、図６に示すように、その下面が食品陳列棚本体２の天井部５の上面に重ねられ、上側からねじ（図示せず）を締結することによって上部ガイドレール１０が天井部５に固定される。また、化粧カバー２０は、その後端部に設けられたフック部２１ａが取付突部１１ａの受け部に引っ掛けられ、前側下部に設けられた係止部２１ｂが化粧カバー固定用突部１１ｂと係合することによって着脱自在に取り付けられる。
【００３０】
上部ガイドレール１０の内部には、扉体係合体３０、７０が上部ガイドレール１０の端部から挿入される。この扉体係合体３０は、傾斜扉３の前側扉３ａを下側に吊り下げるようにするためのものであり、扉体係合体７０は、傾斜扉３の後側扉３ｂを下側に吊り下げるようにするためのものである。これらの扉体係合体３０、７０は、詳細は後述する走行ローラー３４および姿勢制御ローラー３５が下レール１２および上レール１３の転動面を転動することによって、上部ガイドレール１０の左右方向に自由に移動できるようになっている。
【００３１】
この扉体係合体３０、７０は、詳細は後述する回転軸３５ａの前後方向の軸長さを異ならせ、姿勢制御ローラー３５の前後方向の取付位置を異ならせたものであり、使用される部材は全て同じである。より詳細には、図５および図６に示すように、前側の扉体係合体３０（上部ガイドレール１０の内部の前側を走行する）を水平方向に１８０度回転させ、姿勢制御ローラー３５の前後方向の位置を変更したものが後側の扉体係合体７０（上部ガイドレール１０の内部の後側を走行する）である。そのため、以下の説明では、前側の扉体係合体３０について説明し、姿勢制御ローラー３５の部分以外についての後側の扉体係合体７０の説明を省略する。また、扉体係合体３０、７０で使用される部品の機能は全て同じであるため、符号を同一にして説明する。
【００３２】
図８は、扉体係合体３０にフック取付部材４０が取り付けられた状態を示す正面図、図９は、図８の平面図である。なお、図８および図９で示す戸開側、戸閉側の方向は、前側扉３ａの開閉方向をいうものとする。
【００３３】
扉体係合体３０は、板金を略Ｌ字状に折り曲げた本体部３１を備えており、この本体部３１は、上下方向に延びる起立部３１ａと、前後方向に延びる水平部３１ｂとで構成されている。
【００３４】
起立部３１ａの左側には、上端部から上方向に突出する捕捉用突出片３２が設けられている。この捕捉用突出片３２の上端には、その外周を覆うようにしてゴム等の緩衝部材３３が取り付けられている。
【００３５】
また、起立部３１ａには、起立部３１ａの前後方向の前側に突出するように２つの回転軸３４ａが左右方向に間隔を空けて設けられている。これらの回転軸３４ａには、走行ローラー３４が起立した状態（上下方向を向いた状態）で回転自在に取り付けられている。これらの回転軸３４ａおよび走行ローラー３４は、上下方向における高さ位置が同じであり（図８参照）、前後方向における位置も同じに（図９参照）なるように取り付けられている。
【００３６】
さらに、起立部３１ａには、左右２つの走行ローラーの間に、起立部３１ａの前後方向の前側に突出する回転軸３５ａが設けられている。この回転軸３５ａには、姿勢制御ローラー３５が起立した状態で回転自在に取り付けられている。
【００３７】
この回転軸３５ａおよび姿勢制御ローラー３５は、図８に示すように、上下方向における高さ位置（垂直方向において、前側扉３ａの開閉方向と略直交する方向）が走行ローラー３４よりもＬ１寸法だけ高くなるようにずらして配置されている。また、この回転軸３５ａおよび姿勢制御ローラー３５は、図９に示すように、前後方向における位置（水平方向において、前側扉３ａの開閉方向と略直交する方向）が走行ローラー３４よりもＬ２寸法だけ後側に（図９参照）なるようにずらして配置されている。
【００３８】
ここで、後側の扉体係合体７０の姿勢制御ローラー３５は、図９で示す前後方向における位置が走行ローラー３４よりもＬ２寸法だけ後側になるようにずらして配置されている。すなわち、扉体係合体７０が上部ガイドレール１０内に組み込まれた状態では、姿勢制御ローラー３５は、前側の扉体係合体３０の姿勢制御ローラー３５と同様に、走行ローラー３４よりも後側に位置するようになる。
【００３９】
これらの走行ローラー３４および姿勢制御ローラー３５の外周形状は、図９に示すように、中央部が膨らんだ円弧状に形成されている。
【００４０】
また、走行ローラー３４および姿勢制御ローラー３５の直径は、下レール１２と上レール１３との間の上下方向における距離よりも小さく形成されている。より詳細には、下レール１２と上レール１３との間の距離は、走行ローラー３４および姿勢制御ローラー３５の直径に上述したＬ１寸法の長さを足した寸法になるようにしてある。
【００４１】
水平部３１ｂには、その下面から下方向に延びる取付ピン３６が取り付けられている。この取付ピン３６には、フック取り付け部材４０が着脱自在に取り付けられている。また、このフック取り付け部材４０は、図５および図６に示すように、フック部材５０が取り付けられる。
【００４２】
フック部材５０は、図１および図４に示すように、前側扉３ａの左右方向の長さとほぼ等しい長さを有している。また。フック部材５０は、図５および図６に示すように、その下側に断面が略Ｕ字状のフック５１が設けられている。さらに、このフック５１の先端部には、断面形状が円形の円柱部５２が形成されている。
【００４３】
一方、前側扉３ａの上部には、図６に示すように、扉取付部材６が設けられている。この扉取付部材６には、その上部に円柱部５２と係合する係合部６ａが形成されている。この係合部６ａは、円柱部５２の直径とほぼ等しい内径を有する円弧状に形成されている。このような構造により、係合部６ａを円柱部５２に嵌め込むようにして係合させた状態で、前側扉３ａを円柱部５２の周方向に回転することができ、図１および図３に示すように、食品陳列棚１の開口部の傾斜に合わせて前側扉３ａを傾斜した状態で取り付けることができる。また、前側扉３ａを円柱部５２の周方向に回転できるようにすることで、食品陳列棚１の開口部の傾斜角度が様々に異なる場合であっても、本構造で対応することができる。
【００４４】
このように、前側扉３ａは、上部ガイドレール１０を走行する扉体係合体３０に、フック取付部材４０、フック部材５０を介して、様々な角度に対応でき、傾斜した状態で吊り下げられて取り付けられることになる。
【００４５】
なお、傾斜扉３の下側部分には、図７に示すように、下側ローラー７が設けられている。この下側ローラー７は、棚部４ａの前側先端部に配置された下側ガイドレール８の転動面に斜めに置かれており、前側扉３ａを開閉させるときに下側ガイドレール８に沿って左右方向に自由に移動できるようになっている。
【００４６】
一方、食品陳列棚本体２側である上部ガイドレール１０のクローザー取付部１４には、図１０に示すクローザー６０が左右方向の所定の位置に取り付けられている。このクローザー６０には、略直方体形状の本体部６１の下側に、戸開側の端部から戸閉側へ向けて延びる係合体移動長穴６２が形成されている。この係合体移動長穴６２には、前側扉３ａの閉じ際で、上述した扉体係合体３０の捕捉用突出片３２が入り込み（図５および図６参照）、本体部６１内に設けられた係止体６３に係合・捕捉される。この係止体６３は、本体部６１内に設けられた引き込み用ばね部材（図示せず）や、緩衝用ダンパー（図示せず）によって捕捉用突出片３２をゆっくりと戸閉側へと強制的に引き込むように動作する。これにより、扉体係合体３０に吊り下げられた前側扉３ａが完全に閉じた位置まで強制的に移動するようになる。
【００４７】
なお、上述したクローザー６０は、開閉扉が略垂直に取り付けられる一般的な引き戸装置に用いられるものと同一のものである。このクローザー６０の内部構造や取付位置、機能・作用については既知の技術であるため（例えば、特許文献２参照）、これらの詳細な説明については省略する。
【００４８】
次に、本発明の実施の形態に係る傾斜扉を有する食品陳列棚１の動作・作用について詳細に説明する。図１１は、上側ガイドレール内を走行する制御ローラーを示す拡大図である。なお、前側扉３ａと後側扉３ｂの動作・作用は同じであるため、以下の説明では前側扉３ａについて説明する。
【００４９】
図６に示すように、前側扉３ａの係合部６ａをフック部材５０の円柱部５２に係合させて、前側扉３ａを傾斜した状態で取り付けた場合、前側扉３ａの重量によって円柱部５２が前側扉３ａの傾斜に沿って前斜め下側に引っ張られる力が作用する。これにより、円柱部５２の上側に位置する扉体係合体３０には、後側に倒れようとする方向に時計回りの回転モーメントが作用することになる。この回転モーメントは、捕捉用突出片３２の位置を後側に傾かせてずらすことになり、クローザー６０の係止体６３が捕捉用突出片３２を正確に捕捉する動作を阻害することになる。また、扉体係合体３０が大きく傾くと、走行ローラー３４が下レール１２と上レール１３の両方に接触してしまい、前側扉３ａの開閉動作がロックされてしまうこともある。
【００５０】
この回転モーメントを受けるために、扉体係合体３０には、走行ローラー３４とは別に、姿勢制御ローラー３５が設けられている。より詳細には、走行ローラー３４は、前側扉３ａの開閉動作時に、上部ガイドレール１０の下レール１２と接触し、走行ローラー転動面１２ａ上を転動する。また、この走行ローラー３４は、走行中に上レール１３と隙間が空いており、接触することはない。
【００５１】
これに対し、姿勢制御ローラー３５は、図１１に示すように、走行ローラー３４とは異なり、前側扉３ａの開閉動作時に、上部ガイドレール１０の上レール１３と接触し、姿勢制御ローラー転動面１３ａ上を転動する。また、この姿勢制御ローラー３５は、走行中に下レール１２と隙間Ｓが空いており、接触することはない。
【００５２】
走行ローラー３４と姿勢制御ローラー３５は、それぞれ下レール１２および上レール１３と接触して、上述した回転モーメントに抗するようになり、扉体係合体３０が後側に傾くのをより小さくするように作用する。これにより、捕捉用突出片３２は、吊り下げられる前側扉３ａの傾斜角度や重量にかかわらず、クローザー６０の係合体移動長穴６２に向けて常に上方向に向けて突出するようになり、クローザー６０の係止体６３が捕捉用突出片３２を正確に捕捉するようになる。
【００５３】
また、姿勢制御ローラー３５は、走行ローラー３４に対して後方向にＬ２寸法だけずらして配置することで、姿勢制御ローラー３５がより大きな回転モーメントを受けて踏ん張るようになる。そのため、ずらさずに直線的に配置した場合と比較して、扉体係合体３０が後側に傾き難くなる。これらにより、クローザー６０の係止体６３が捕捉用突出片３２を正確に捕捉できるようにしている。
【００５４】
さらには、扉体係合体３０、７０は、図５に示すように、傾斜扉３を取り付ける前の状態で、全体を前側に傾けるようにして取り付けられている。そして、傾斜扉３を取り付けて上述した回転モーメントが作用したときに、捕捉用突出片３２がほぼ垂直になるようにしている。
【００５５】
本発明の実施の形態に係る傾斜扉を有する食品陳列棚１によれば、傾斜扉３（前側扉３ａ、後側扉３ｂ）の閉じ際に、傾斜扉３を閉じた位置まで強制的に移動させるクローザーを備えているので、傾斜扉３が半開きの状態のままで放置されることがなくなり、半開きの状態と比較して、食品陳列棚１内に埃などが入り込み難くすることができる。特に、食料品売り場などの食品陳列棚１に使用される場合には、内部の衛生を保つことができることは有用である。
【００５６】
また、食品陳列棚本体２側には、クローザー６０が取り付けられ、傾斜扉３側には、傾斜扉３が傾斜した状態で吊り下げられる扉体係合体３０が設けられ、扉体係合体３０には、傾斜扉３が傾斜して吊り下げられた状態でクローザー６０に向けて突出し、クローザー６０の係止体６３に捕捉されて閉方向へと強制的に引き込まれる捕捉用突出片３２が設けられているので、上方に突出する捕捉用突出片３２を、係止体６３によって確実に捕捉することができる。これにより、傾斜扉３が種々の角度で取り付けられるものであっても、または、一般的な引き戸装置のように扉がほぼ垂直に吊り下げられるものであっても、同一のクローザー６０を使用することができる。そのため、傾斜扉３用にクローザーを改造したり、傾斜扉３の自重によって２方向に作用する荷重を斜めに受けるような複雑な構造にする必要がない。
【００５７】
さらに、食品陳列棚本体２側に傾斜扉３の開閉方向に沿って延びる上部ガイドレール１０が設けられ、上部ガイドレール１０には、上下方向に間隔を空けて下レール１２と上レール１３とが設けられ、扉体係合体３０には、下レール１２と接触して転動し、上レール１３とは接触しない走行ローラー３４と、上レール１３と接触して転動し、下レール１２とは接触しない姿勢制御ローラー３５とが設けられているので、傾斜扉３の自重によって生じる回転モーメントをこれらのローラー３４、３５で受けることができる。これにより、扉体係合体３０が後側に傾き難くすることができるので、扉体係合体３０の捕捉用突出片３２の突出する向きを、吊り下げられる傾斜扉３の傾斜角度や自重に関係なく常に一定に保つことができる。そのため、捕捉用突出片３２を、係止体６３によって確実に捕捉することができ、クローザー６０をスムーズに動作させることができる。
【００５８】
また、動作をスムーズにするために、水平方向と重力方向の２つの荷重を受けるための２方向のローラーをそれぞれ配置することも考えられるが、本構造では、このような複雑な構造にはならず、より簡素にすることができる。そのため、キャビネット１の製造コストを抑えることができる。
さらに、向きの異なる２方向のローラーを上部ガイドレール内に設けたり、或いは、斜めに設定したローラーを上部ガイドレール内に納めたりすると、上部ガイドレールの外形寸法が必要以上に大きくなってしまい、食品陳列棚の上側部分が前側に大きく突出してしまうなど、意匠性を損なうことになるが、本構成によれば、これらの問題も生じない。
さらにまた、傾斜扉３の傾斜角度は食品陳列棚の種類によって様々であるが、走行ローラー３４と姿勢制御ローラー３５で回転モーメントを受けることにより、調整等の手間もなく対応することができる。
【００５９】
さらにまた、走行ローラー３４と姿勢制御ローラー３５は、前後方向にＬ２寸法だけずらして配置されているので、ずらさずに配置した場合と比較して、扉体係合体３０が後側に傾き難くすることができる。
【００６０】
また、走行ローラー３４および姿勢制御ローラー３５の外周形状を、中央部が膨らんだ円弧状に形成し、下レール１２の走行ローラー転動面１２ａおよび上レール１３の姿勢制御ローラー転動面１３ａを、ローラー３４、３５の円弧状の形状にあわせて凹ませているので、上述した回転モーメントが発生したとしても、ローラー３４、３５の外周部と転動面１２ａ、１３ａとが円弧で接触し、それぞれに無理な力が発生しない。そのため、傾斜扉３を開閉するときに傾斜扉３がせることなく、スムーズに開閉することができる。
【００６１】
以上、本発明の実施の形態に係る傾斜扉を有するキャビネットについて述べたが、本発明は既述の実施形態に限定されるものではなく、本発明の技術思想に基づいて各種の変形および変更が可能である。
【００６２】
例えば、本実施の形態では、上部ガイドレール１０よりも手前側にオフセットした位置に開閉扉が取り付けられるキャビネットの一例として、傾斜した開口部を覆うようにして取り付けられた傾斜扉３を有するキャビネット１について説明したが、これに限定されない。例えば、特許文献２で開示されているような略Ｌ字形状に形成された開閉扉を有するキャビネットであっても、開閉扉がオフセットした位置に取り付けられるものであれば同様の課題が発生する。そのため、本実施例に記載した構造を採用することにより、本実施例と同様にクローザー６０をスムーズに動作させることができる。
【００６３】
また、本実施の形態で説明した上部ガイドレール１０では、クローザー６０を取り付けるためのクローザー取付部１４を上レール１３の上側に設け、扉体係合体３０の捕捉用突出片３２を上方に向けて突出させているが、これに限定されない。例えば、クローザー取付部１４を上部ガイドレール１０の後側（奥側）に形成し、このクローザー取付部にクローザー６０の係合体移動長穴６２が前側を向くようにして取り付けることもできる。この場合、捕捉用突出片３２は、後側に向けて（クローザー６０に向けて）突出するように折り曲げておく。このようにしても、クローザー６０は捕捉用突出片３２を確実に捕捉し、開閉扉を閉方向にスムーズに移動させることができる。これにより、上部ガイドレールの上下方向の寸法を小さくし、キャビネットの外側から見て上部ガイドレールをより目立たなくすることができる。
【００６４】
さらに、走行ローラー３４を２つ、姿勢制御ローラー３５を１つで構成しているが、この個数に限定するものではない。例えば、前側扉３ａの重量や大きさ等によって走行ローラー３４や姿勢制御ローラー３５の取付個数を増やしたり、或いは少なくして構成することもできる。
【００６５】
また、本実施の形態では、２つの走行ローラー３４の間に姿勢制御ローラー３５を配置しているが、他の配置であっても構わない。例えば、走行ローラー３４の左右方向外側の位置に姿勢制御ローラー３５を配置してもよい。また、２つの走行ローラー３４の間に２つ（或いは２つ以上）の姿勢制御ローラー３５を配置してもよい。
【００６６】
さらには、本実施の形態では、走行ローラー３４に対して姿勢制御ローラー３５を後側にずらして配置しているが、モーメントの作用する方向に合わせて前側にずらして配置することもできる。これによっても、走行ローラー３４と姿勢制御ローラー３５とを走行方向に直線上に配置する場合と比較して、扉体係合体３０を傾き難くすることができる。
【００６７】
また、本実施の形態では、走行ローラー３４および姿勢制御ローラー３５が取り付けられる回転軸３４ａ、３５ａが前後方向の前側に突出するように設けられ、走行ローラー３４および姿勢制御ローラー３５がそれぞれ起立した状態（上下方向を向いた状態）で回転自在に取り付けられているが、これに限定されない。例えば、走行ローラー３４を起立した状態のまま（本実施例で開示した状態）にし、姿勢制御ローラー３５の回転軸３５ａを走行ローラー３４の回転軸３４ａに対して９０度傾けて取り付け、姿勢制御ローラー３４が水平方向を向いた状態（前後方向を向いた状態）で回転自在に取り付けることもできる。この場合、姿勢制御ローラー３５が接触して転動するための上レール１３も９０度傾けて設ける必要がある。この場合であっても、姿勢制御ローラー３５は、上レール１３とだけ接触し、この姿勢制御ローラー３５で回転モーメントを受けることができる。
【００６８】
また、姿勢制御ローラー３４を走行ローラー３５に対して９０度以外の角度に傾けて取り付けるようにしてもよい。さらには、走行ローラー３４および姿勢制御ローラー３５を前後方向または水平方向以外に向けて取り付けてもよく、この状態で、姿勢制御ローラー３４を走行ローラー３５に対して角度を付けて取り付けるようにしてもよい。
【００６９】
一方、本実施の形態では、キャビネットの一例として食品陳列棚１について説明しているが、扉がオフセットした位置に取り付けられて使用されるものであれば、書類棚、保管棚など、種々のものに使用することができる。
【符号の説明】
【００７０】
１  食品陳列棚（キャビネット）
２  食品陳列棚本体（キャビネット本体）
３  傾斜扉（開閉扉）
３ａ  前側扉
３ｂ  後側扉
４ａ、４ｂ  棚部
５  天井板
６  扉取付部材
６ａ  係合部
７  下側ローラー
８  下側ガイドレール
１０  上部ガイドレール
１１  ガイドレール本体
１１ａ  取付突部
１１ｂ  化粧カバー固定用突部
１２  下レール
１２ａ  走行ローラー転動面
１３ａ  姿勢制御ローラー転動面
１３  上レール
１４  クローザー取付部
２０  化粧カバー
２１ａ  フック部
２１ｂ  係止部
３０、７０  扉体係合体
３１  本体部
３１ａ  起立部
３１ｂ  水平部
３２  捕捉用突出片
３３  緩衝部材
３４  走行ローラー
３４ａ  回転軸
３５  姿勢制御ローラー
３５ａ  回転軸
３６  取付ピン
４０  フック取付部材
５０  フック部材
５１  フック
５２  円柱部
６０  クローザー
６１  本体部
６２  係合体移動長穴
６３  係止体
Ｌ１  上下方向のずれ量
Ｌ２  前後方向のずれ量
【図１】
2019037521.tif 000003
【図２】
2019037521.tif 000004
【図３】
2019037521.tif 000005
【図４】
2019037521.tif 000006
【図５】
2019037521.tif 000007
【図６】
2019037521.tif 000008
【図７】
2019037521.tif 000009
【図８】
2019037521.tif 000010
【図９】
2019037521.tif 000011
【図１０】
2019037521.tif 000012
【図１１】
2019037521.tif 000013